(57)【要約】【課題】粉状の内容物や、粉状の破片を生じる内容物を収容した場合であっても、雄側嵌合部と雌側嵌合部を安定して嵌合し、開口を閉じることができる嵌合具付き袋体の提供を目的とする。【解決手段】一対の平面部１１、１２を有する袋本体１０と、袋本体１０の一方の平面部１１の上端から延出する延出部１３と、袋本体１０の他方の平面部１２の外面１２ａに設けられた雌側嵌合部２４、および延出部１３における他方の平面部１２側の面１３ａに設けられた雄側嵌合部２３を有する嵌合具２０と、を具備する嵌合具付き袋体１。【選択図】図２
2012101797.tif 000002
【特許請求の範囲】
【請求項１】
一対の平面部を有する、内容物を収容する袋本体と、
該袋本体の一方の平面部の上端から延出する、該平面部と同じ幅の延出部と、
前記袋本体の他方の平面部の外面、および前記延出部における前記他方の平面部側の面のそれぞれに、幅方向の一方の縁から他方の縁まで設けられた、凸条の雄側嵌合部および該雄側嵌合部に着脱自在に嵌合する雌側嵌合部を有する嵌合具と、
を具備する嵌合具付き袋体。
【請求項２】
前記一対の平面部の上部が接着されて前記袋本体が密封され、
前記他方の平面部の、該他方の平面部の外面に設けられた嵌合部よりも上側の内面に、前記袋本体の開封を補助するカットテープが取り付けられている請求項１に記載の嵌合具付き袋体。
【請求項３】
前記雄側嵌合部が、前記延出部における前記他方の平面部側の面に設けられている請求項１または２に記載の嵌合具付き袋体。
【発明の詳細な説明】
【技術分野】
【０００１】
本発明は、嵌合具付き袋体に関する。
【背景技術】
【０００２】
食品、薬品および雑貨などの様々な分野において、袋体の開口を開閉自在に封じる嵌合具が取り付けられた嵌合具付き袋体が広く用いられている。例えば、一対の帯状の基材に、雄側嵌合部および該雄側嵌合部に着脱自在に嵌合する雌側嵌合部が、前記基材の長手方向に沿ってそれぞれ設けられた嵌合具が、内容物を収容する袋本体の上部の内面に取り付けられる（例えば、特許文献１）。このような嵌合具付き袋体は、袋本体の上部に開口を形成した後、嵌合具の雄側嵌合部と雌側嵌合部とを着脱させることにより、形成した開口の開閉が繰り返し行える。
【先行技術文献】
【特許文献】
【０００３】
【特許文献１】特開２００８−４４６６３号公報
【発明の概要】
【発明が解決しようとする課題】
【０００４】
しかし、特許文献１に記載のような嵌合具付き袋体は、粉状の内容物や、菓子等の粉状の破片を生じる内容物を収容した場合に、雌側嵌合部内に粉状の内容物や破片等が入り込み、雄側嵌合部と雌側嵌合部の嵌合が阻害されることがある。
【０００５】
本発明は、粉状の内容物や、粉状の破片を生じる内容物を収容した場合であっても、雄側嵌合部と雌側嵌合部を安定して嵌合し、開口を閉じることができる嵌合具付き袋体の提供を目的とする。
【課題を解決するための手段】
【０００６】
本発明は、前記課題を解決するために以下の構成を採用した。
［１］一対の平面部を有する、内容物を収容する袋本体と、
該袋本体の一方の平面部の上端から延出する、該平面部と同じ幅の延出部と、
前記袋本体の他方の平面部の外面、および前記延出部における前記他方の平面部側の面のそれぞれに、幅方向の一方の縁から他方の縁まで設けられた、凸条の雄側嵌合部および該雄側嵌合部に着脱自在に嵌合する雌側嵌合部を有する嵌合具と、
を具備する嵌合具付き袋体。
［２］前記一対の平面部の上部が接着されて前記袋本体が密封され、
前記他方の平面部の、該他方の平面部の外面に設けられた嵌合部よりも上側の内面に、前記袋本体の開封を補助するカットテープが取り付けられている［１］に記載の嵌合具付き袋体。
［３］前記雄側嵌合部が、前記延出部における前記他方の平面部側の面に設けられている［１］または［２］に記載の嵌合具付き袋体。
【発明の効果】
【０００７】
本発明の嵌合具付き袋体は、粉状の内容物や、粉状の破片を生じる内容物を収容した場合であっても、雄側嵌合部と雌側嵌合部を安定して嵌合し、開口を閉じることができる。
【図面の簡単な説明】
【０００８】
【図１】本発明の嵌合具付き袋体の一例を示した正面図である。
【図２】図１の嵌合具付き袋体の直線Ｉ−Ｉ’で切断したときの断面図である。
【図３】図２の嵌合具付き袋体の嵌合具を嵌合した様子を示した断面図である。
【図４】図１の嵌合具付き袋体の上部を拡大した拡大図である。
【図５】図１の嵌合具付き袋体の上部に開口を形成する様子を示した拡大図である。
【図６】図１の嵌合具付き袋体の上部に開口を形成した様子を示した斜視図である。
【図７】図１の嵌合具付き袋体の上部に開口を形成した様子を示した断面図である。
【図８】図７の嵌合具付き袋体の上部を嵌合具により閉じた様子を示した断面図である。
【発明を実施するための形態】
【０００９】
以下、本発明の嵌合具付き袋体の一例を示して詳細に説明する。
本実施形態の嵌合具付き袋体１（以下、「袋体１」という。）は、図１および図２に示すように、一対の平面部１１、１２を有する袋本体１０と、一方の平面部１１（以下、単に「平面部１１」という。）の上端から延出する、平面部１１と同じ幅の延出部１３とを具備する。また、袋体１は、他方の平面部１２（以下、単に「平面部１２」という。）の外面１２ａ、および延出部１３における平面部１２側の面１３ａのそれぞれに、幅方向の一方の縁から他方の縁まで設けられた、凸条の雄側嵌合部２３および該雄側嵌合部２３に着脱自在に嵌合する雌側嵌合部２４を有する嵌合具２０を具備する。
【００１０】
袋本体１０は、平面部１１と平面部１２とが、その周縁部１４がヒートシールされることで形成される。
袋本体１０の形状は、本実施形態では矩形である。ただし、袋本体１０の形状は矩形には限定されない。また、袋本体１０の大きさも特に限定されず、袋本体１０に収容する内容物によって適宜選定すればよい。
袋本体１０を形成する平面部１１および平面部１２は、単層フィルムからなっていてもよく、多層フィルムからなっていてもよい。積層フィルムとしては、ヒートシール層、耐熱層、バリア層などを含むフィルムが挙げられる。
耐熱層の材質としては、二軸延伸ナイロン、二軸延伸ポリプロピレン等が挙げられる。
ヒートシール層としては、直鎖状低密度ポリエチレン、無延伸ポリプロピレン、エチレン−酢酸ビニル共重合体、アイオノマー等が挙げられる。
バリア層としては、ポリビニルアルコール等が挙げられる。
【００１１】
延出部１３は、平面部１１の上端、この例では平面部１１と平面部１２をヒートシールした周縁部１４の上端から延出した、平面部１１と同じ幅の部分であり、平面部１２側に折り返せるようになっている。
延出部１３の材質は、平面部１１と同じ材質である。
延出部１３の上下方向の長さａ（図２）は、袋本体１０の大きさに応じて適宜設定できる。
【００１２】
嵌合具２０は、帯状の基材２１に長手方向に沿って設けられた凸条の雄側嵌合部２３と、帯状の基材２２に長手方向に沿って設けられた、前記雄側嵌合部２３に着脱自在に嵌合する雌側嵌合部２４とからなる。雄側嵌合部２３が設けられた基材２１が、延出部１３における平面部１２側の面１３ａに、幅方向に沿って取り付けられている。また、雌側嵌合部２４が設けられた基材２２が、平面部１２の外面１２ａに幅方向に沿って取り付けられている。
【００１３】
雄側嵌合部２３は、図２に示すように、基材２１から突き出すように形成された幹部２３ａと、幹部２３ａよりも大きい断面略半円形状の頭部２３ｂを有している。また、雌側嵌合部２４は、基材２２から断面円弧状に突き出すアーム部２４ａ、２４ｂからなり、これらアーム部２４ａ、２４ｂにより凹部２４ｃが形成されている。
【００１４】
袋体１では、図３に示すように、延出部１３を平面部１２側へと折り返し、延出部１３の平面部１２側の面１３ａに取り付けられた雄側嵌合部２３の頭部２３ｂを、平面部１２の外面１２ａに取り付けられた雌側嵌合部２４の凹部２４ｃに嵌め込むことで、雄側嵌合部２３と雌側嵌合部２４を着脱自在に嵌合できるようになっている。
雄側嵌合部２３と雌側嵌合部２４の形状は特に制限はなく、それらを着脱自在に嵌合できるものであれば、任意の形状を採用できる。
【００１５】
雄側嵌合部２３と、延出部１３の平面部１１側の端部との距離ｂ（図２）は、延出部１３の上下方向の長さａに応じて、延出部１３を折り返したときに、雄側嵌合部２３と雌側嵌合部２４を嵌合できるように適宜設定すればよい。
平面部１２の外面１２ａの雌側嵌合部２４の上下方向の位置も、延出部１３を折り返したときに、雄側嵌合部２３と雌側嵌合部２４を嵌合できるように決定すればよい。
【００１６】
雄側嵌合部２３と雌側嵌合部２４の上下方向の位置は、図３に示すように、延出部１３と平面部１１の境界部分である袋本体１０の上端１０ａを折り返し線として、延出部１３全体を平面部１２側に折り返したときに、雄側嵌合部２３と雌側嵌合部２４を嵌合できる位置が好ましい。これにより、袋本体１０の上部を一旦開封した後、雄側嵌合部２３と雌側嵌合部２４を嵌合して袋体１を閉じた際に、袋本体１０の上部の隙間をより小さくでき、内容物が飛び出すことを抑制しやすい。
また、雄側嵌合部２３と雌側嵌合部２４の上下方向の位置は、袋本体１０の上端１０ａよりも下側を折り返し線として、延出部１３全体と共に、袋本体１０の上部の一部を平面部１２側に折り返したときに、雄側嵌合部２３と雌側嵌合部２４を嵌合できる位置も好ましい。この場合も、袋本体１０の上部を一旦開封した後、雄側嵌合部２３と雌側嵌合部２４を嵌合して袋体１を閉じた際に、袋本体１０の上部の隙間をより小さくでき、内容物が飛び出すことを抑制しやすい。
なお、雄側嵌合部２３と雌側嵌合部２４の上下方向の位置は、袋本体１０の上端１０ａよりも上側を折り返し線として、延出部１３の一部を平面部１２側に折り返したときに、雄側嵌合部２３と雌側嵌合部２４を嵌合できる位置であってもよい。
【００１７】
基材２１および雄側嵌合部２３は、本実施形態では延出部１３の幅方向に沿って形成されているが、この形態には限定されず、袋本体１０の幅方向に対して傾斜して設けられていてもよい。この場合、基材２２および雌側嵌合部２４も、延出部１３を折り返して雄側嵌合部２２と雌側嵌合部２４を嵌合できるように、袋本体１０の幅方向に対して傾斜して設けられる。
【００１８】
基材２１、２２は、公知の嵌合具における基材に通常使用される材質の基材が使用でき、単層フィルムからなる基材であってもよく、積層フィルムからなる基材であってもよい。積層フィルムとしては、例えば、耐熱層とヒートシール層が積層されたフィルムが挙げられる。また、前記積層フィルムは、耐熱層とヒートシール層の間にバリア層を有していてもよい。
基材２１、２２は、１種の樹脂からなっていてもよく、２種以上の樹脂を含む樹脂組成物からなっていてもよい。また、必要に応じて安定剤、酸化防止剤、滑剤、帯電防止剤、着色剤などの公知の添加剤が添加されていてもよい。
【００１９】
雄側嵌合部２３および雌側嵌合部２４の材質としては、公知の嵌合具における嵌合部に通常使用される材質が使用でき、ポリエチレン、ポリプロピレン等のポリオレフィン系樹脂等が挙げられる。
【００２０】
袋本体１０は、図１および図２に示すように、平面部１１と平面部１２とが周縁部１４で接着されて密封された状態となっており、袋本体１０の平面部１２の雌側嵌合部２４よりも上側の内面１２ｂに、平面部１２を切断して袋本体１０の上部を開封するのを補助するカットテープ１５が、幅方向に沿って取り付けられている。カットテープ１５は、接着層１６を介して平面部１２の内面１２ｂに取り付けられている。
また、図４に示すように、平面部１２におけるカットテープ１５の端部には、切り込み１７が形成されており、カットテープ１５の端部を把持できるようになっている。袋体１は、図５に示すように、カットテープ１５の端部を把持して引き裂くことで、平面部１２がカットテープ１５に沿って切断され、図６および図７に示すように、袋本体１０の上部に開口１８を形成できる。
カットテープ１５は、本実施形態では袋本体１０の幅方向に沿って形成されているが、この形態には限定されず、袋本体１０の幅方向に対して傾斜して設けられていてもよい。
【００２１】
カットテープ１５の材質としては、例えば、加熱によって袋本体１０に溶着しない材質が使用でき、延伸高密度ポリエチレン、延伸ポリプロピレン、延伸ポリエステル等が挙げられる。
接着層１６の材質としては、低密度ポリエチレン、直鎖状低密度ポリエチレン、無延伸ポリプロピレン等が挙げられる。
【００２２】
以下、袋体１の作用について説明する。
袋体１は、図２に示すように、内容物を収容した状態で平面部１１と平面部１２の周縁部１４が接着され、袋本体１０が密封されている。そして、図３に示すように、延出部１３が平面部１２側に折り返され、延出部１３の平面部１２側の面１３ａに取り付けられた雄側嵌合部２３と、平面部１２の外面１２ａに取り付けられた雌側嵌合部２４とが嵌合される。このように、袋体１では、延出部１３に取り付けた雄側嵌合部２３と雌側嵌合部２４が、袋本体１０内に収容された内容物と接触しない。そのため、雄側嵌合部２３に内容物が付着したり、雌側嵌合部２４の凹部２４ｃ内に内容物が入り込んで、雄側嵌合部２３と雌側嵌合部２４の嵌合が阻害されることを抑制できる。
【００２３】
内容物を取り出す際には、図１および図２に示すように、雄側嵌合部２３を雌側嵌合部２４から脱離させて延出部１３を開き、図５に示すように、カットテープ１５の端部を把持して引き裂くことで、平面部１２をカットテープ１５に沿って切断し、図６および図７に示すように、袋本体１０の上部に開口１８を形成する。袋本体１０を一旦開封した後は、図８に示すように、延出部１３を平面部１２側に折り返し、延出部１３に取り付けられた雄側嵌合部２３と、平面部１２の外面１２ａに取り付けられた雌側嵌合部２４とを着脱することで、開口１８の開閉が可能である。
【００２４】
袋体１では、雄側嵌合部２３が取り付けられた延出部１３を開いた状態で袋本体１０から内容物を取り出せるので、雄側嵌合部２３に内容物が付着することを抑制できる。また、雌側嵌合部２４は、平面部１２の外面１２ａに取り付けられているので、凹部２４ｃに内容物が入り込むことも抑制できる。そのため、袋体１は、粉状の内容物や、粉状の破片を生じる内容物を収容した場合であっても、袋本体１０を一旦開封した後、安定して雄側嵌合部２３と雌側嵌合部２４を嵌合して開口を閉じることができる。
【００２５】
なお、本発明の嵌合具付き袋体は、前記袋体１には限定されない。例えば、延出部１３の平面部１２側の面１３ａに雌側嵌合部が取り付けられ、平面部１２の外面１２ａに雄側嵌合部が取り付けられた嵌合具付き袋体であってもよい。しかし、該嵌合具付き袋体よりも、延出部１３の平面部１２側の面１３ａに雄側嵌合部２３が取り付けられた前記袋体１の方が好ましい。平面部１２の外面１２ａに比べて、延出部１３の平面部１２側の面１３ａの方が内容物が接触しやすいので、延出部１３の平面部１２側の面１３ａには、内容物が入り込み難い雄側嵌合部２３が取り付けられている方が良いからである。
【００２６】
また、袋体１では、雄側嵌合部２３と雌側嵌合部２４が基材２１、２２に設けられ、それら基材２１、２２が延出部１３と平面部１２に取り付けられた形態であったが、本発明の嵌合具付き袋体は、延出部１３の平面部１２側の面１３ａと、平面部１２の外面１２ａに、雄側嵌合部と雌側嵌合部が一体的に設けられていてもよい。
【００２７】
また、袋体１では、袋本体１０が予め密封状態とされ、カットテープ１５によって開封して開口１８を形成する形態であったが、袋本体の上部が密封されず、雄側嵌合部と雌側嵌合部の嵌合のみで閉じられた嵌合具付き袋体であってもよい。しかし、流通時等において、雄側嵌合部に内容物が付着したり、雌側嵌合部の凹部内に内容物が入り込むのを防止できる点から、袋本体１０が密封状態とされた袋体１の方が好ましい。
【符号の説明】
【００２８】
１  嵌合具付き袋体
１０  袋本体
１１  一方の平面部
１２  他方の平面部
１２ａ  他方の平面部の外面
１２ｂ  他方の平面部の内面
１３  延出部
１３ａ  延出部の他方の平面部側の面
１５  カットテープ
２０  嵌合具
２１、２２  基材
２３  雄側嵌合部
２４  雌側嵌合部
【図１】
2012101797.tif 000003
【図２】
2012101797.tif 000004
【図３】
2012101797.tif 000005
【図４】
2012101797.tif 000006
【図５】
2012101797.tif 000007
【図６】
2012101797.tif 000008
【図７】
2012101797.tif 000009
【図８】
2012101797.tif 000010